(57)【要約】【課題】火災等の緊急時に窓からの脱出が可能であり、防虫網戸の取り外しが容易であると共に、引戸障子の室外側からの掃除も容易に行える窓装置を提供する。【解決手段】建物の窓開口部Ｏの室外側に引戸障子１，２を設け、その室外側に防虫網戸３を設け、引戸障子１，２の内側である窓開口部Ｏの室内側に面格子４を設け、面格子４は、一部に非常開口部６を形成した固定面格子部７と、非常開口部６を開閉する可動面格子部８とからなる。【選択図】図２
2005188110.tif 000002
【特許請求の範囲】
【請求項１】
建物の窓開口部の室外側に引戸障子を設け、その室外側に防虫網戸を設け、引戸障子の内側である窓開口部の室内側に面格子を設け、面格子は、一部に非常開口部を形成した固定面格子部と、非常開口部を開閉する可動面格子部とからなる窓装置。
【請求項２】
固定面格子部は、窓開口部に取り付けられる窓サッシと一体に形成された周枠部と、非常開口部を除いて周枠部内に配設された複数の格子部材とからなることを特徴とする請求項１に記載の窓装置。
【請求項３】
非常開口部は、可動面格子部を開放した時の開口幅が引戸障子の横幅と略同じになるように形成されてなる請求項１又は２に記載の窓装置。
【請求項４】
可動面格子部は、閉鎖状態から内開き式に開放可能に構成されてなる請求項１〜３の何れかに記載の窓装置。
【発明の詳細な説明】
【技術分野】
【０００１】
本発明は、建物の窓開口部に引戸障子、防虫網戸及び面格子を設けた窓装置に関するものである。
【背景技術】
【０００２】
面格子は、防犯を目的としたもので、引戸障子及び防虫網戸が嵌め込まれる窓サッシに室外側から取付金具によって取り付けられるようになっている。しかして、普通一般の面格子は固定式であるため、火災等の緊急時には窓からの脱出が面格子に阻まれて惨事を招くおそれがあり、また緊急時ではなくても、防虫網戸を修理したり水洗いするような時、また引戸障子のガラス面を室外側から掃除するような時には取付金具を取り外さなければならず、その取り外し作業が非常に面倒で、大変な作業となっている。
【０００３】
一方、面格子の一部に非常脱出用の開口部を設けると共に、この非常脱出用開口部を開閉する可動格子部を設け、火災等の緊急時に、この開口部を開放して緊急脱出できるようにしたものが、例えば特許文献１などによって知られている。
【特許文献１】特開２０００−３０９８６６号公報
【発明の開示】
【発明が解決しようとする課題】
【０００４】
しかしながら、上記特許文献１に記載されているような面格子の非常脱出用開口部は、あくまでも火災等の緊急時に人が脱出できるようにした非常脱出用の開口部であり、人が通り抜けることができればよいから、その開口幅は６０〜７０ｃｍ程度である。従って、このような非常脱出用開口部によっては、防虫網戸を修理するような場合にその網戸を開口部の外へ取り出すことができず、また引戸障子の掃除も十分に行えない。
【０００５】
本発明は、上記の課題に鑑み、火災等の緊急時に窓からの脱出が可能であることはもちろん、室外への防虫網戸の取り外しが容易であると共に、引戸障子の室外側からの掃除が容易に行える窓装置を提供することを目的とする。
【課題を解決するための手段】
【０００６】
上記課題を解決するための手段を、後述する実施形態の参照符号を付して説明すると、請求項１に係る発明は、建物の窓開口部Ｏの室外側に引戸障子１，２を設け、その室外側に防虫網戸３を設け、引戸障子１，２の内側である窓開口部Ｏの室内側に面格子４を設け、面格子４は、一部に非常開口部６を形成した固定面格子部７と、非常開口部６を開閉する可動面格子部８とからなることを特徴とする。
【０００７】
請求項２は、請求項１に記載の窓装置において、固定面格子部７は、窓開口部Ｏに取り付けられる窓サッシ５と一体に形成された周枠部９と、非常開口部６を除いて周枠部９内に配設された複数の格子部材１０とからなることを特徴とする。
【０００８】
請求項３は、請求項１又は２に記載の窓装置において、非常開口部６は、可動面格子部８を開放した時の開口幅Ｗ6 が引戸障子１，２の横幅Ｗ0 と略同じになるように形成されてなることを特徴とする。
【０００９】
請求項４は、請求項１〜３の何れかに記載の窓装置において、可動面格子部８は、閉鎖状態から内開き式に開放可能に構成されてなることを特徴とする。
【発明の効果】
【００１０】
上記解決手段による発明の効果を、後述する実施形態の参照符号を付して説明すると、請求項１に係る発明の窓装置によれば、火災等の緊急事態が発生した時には、面格子４の可動面格子部８を開放操作することによって、非常開口部６が開放されるから、引戸障子１，２を開け、防虫網戸３を開ければ、室外へ容易に脱出することができる。また、引戸障子１，２の室内側に面格子４を設けているので、可動面格子部８を閉鎖位置にロックしておけば、引戸障子１，２を閉じ位置にロックするクレセントなどを掛け忘れても、防犯上の安全性が確保される。
【００１１】
また引戸障子１，２の室内側に面格子４を設けていることから、例えば防虫網戸３の網材３ｂを張り替えたり、この網戸３を水洗いするような時には、防虫網戸３を簡単に室外に取り出すことができる。
【００１２】
請求項２に係る発明によれば、面格子４の固定面格子部７が、窓開口部Ｏに取り付けられる窓サッシ５と一体に形成された周枠部９と、周枠部９内に配設された複数の格子部材１０とからなるため、窓サッシ５と固定面格子部７の周枠部９とを同時に製作できると共に、周枠部９に格子部材１０を取り付けるだけで固定面格子部７を形成でき、従って窓装置の製作コスト及び施工コストを従来の窓装置に比べて格段に安くすることができる。
【００１３】
請求項３に係る発明の窓装置によれば、可動面格子部８を開放した時の開口幅Ｗ6 が引戸障子１，２の横幅Ｗ0 と略同じであるため、引戸障子１，２のガラス１ｂ，２ｂを室内側から掃除する時には、非常開口部６を室内側へ開放すれば、引戸障子１，２を交互に移動させることによって、この非常開口部６から各引戸障子１，２のガラス１ｂ，２ｂの室内側面を簡単容易にして十分に掃除することができる。
【００１４】
また、窓装置の製作にあたっては、非常開口部６の開口幅Ｗ6 が引戸障子１，２の横幅Ｗ0 と略同じとなるように面格子４の非常開口部６及び可動面格子部８の幅寸法を一定化する、つまり規格化することにより、面格子４の長さ及び高さは自由に設定できるから、種々の窓装置に設けられる面格子４を製作する場合に、少なくとも可動面格子部８については量産が可能となり、それによって製作コストの低廉化を図ることができる。
【００１５】
請求項４に係る発明の窓装置によれば、可動面格子部８が閉鎖状態から内開き式に開放可能に構成されているから、可動面格子部８を長時間開放しておくような時には、開放した可動面格子部８を固定面格子部７の室内側面に添わせた状態にすることによって、可動面格子部８が場所をとらず、室内側で邪魔になることがなく、また製作も容易である。
【発明を実施するための最良の形態】
【００１６】
図１の(a) は本発明に係る窓装置を室内側から見た正面図、(b) は同窓装置を室外側から見た正面図である。図２は同窓装置の横断平面図であり、図３は同窓装置の縦断側面図である。この窓装置は、建物の窓開口部Ｏの室外側に引戸障子１，２が設けられ、その外側に防虫網戸３が設けられ、そして引戸障子１，２の内側である窓開口部Ｏの室内側に面格子４が設けられてなるものである。
【００１７】
引戸障子１，２は、夫々上下に戸車（図示省略）を取り付けた周知構造の引き違い障子であって、窓開口部Ｏの内周面の室外側寄りに取付け固定された窓サッシ５の上下レール５1a，５1b、５2a，５2bに沿ってスライド自在に嵌装されて、引き違い式に開閉できるようになっている。各引戸障子１，２は障子枠１ａ，２ａにガラス１ｂ，２ｂが嵌装されてなるものである。尚、引戸障子１，２は、防犯のために通常は窓サッシ５から簡単に取り外しできないように取り付けられている。また引戸障子１，２は、図示は省略するが、周知の手掛けクレセント（締り金物）によって閉じ位置にロックされる。
【００１８】
防虫網戸３も、上下に戸車（図示省略）を取り付けた周知構造の引戸式網戸であって、周枠材３ａに網材３ｂを張設したものからなり、窓サッシ５の室外側端部に設けてある上下の網戸用レール５3a，５3bに沿ってライド自在に嵌装されている。この防虫網戸３は、引戸障子１，２とは異なり、上下の網戸用レール５3a，５3bに対し検鈍式に簡単に取り外しできるようになっている。
【００１９】
面格子４は、図２に示すように、その片側半分に非常開口部６を形成した固定面格子部７と、この非常開口部６を開閉する可動面格子部８とから構成されており、そして非常開口部６は、可動面格子部８を開放した時の開口幅Ｗ6 が各引戸障子１，２の横幅Ｗ0 と略同じになるように形成されている。この場合において、各引戸障子１，２の横幅Ｗ0 は、例えば半間、即ち約９１ｃｍとし、非常開口部６の開口幅Ｗ6 は、障子幅Ｗ0 より僅かに小さい、例えば約９０ｃｍとする。
【００２０】
面格子４の固定面格子部７は、窓開口部Ｏの内周面の室内側に取り付け固定された周枠９と、この周枠９内に前記非常開口部６を除いて一定間隔おきに配設された複数の縦格子部材１０とから構成される。周枠９は、上下枠部９ａ，９ｂと左右枠部９ｃ，９ｄとからなるもので、各縦格子部材１０は上下枠部９ａ，９ｂ間に介装される。
【００２１】
面格子４の可動面格子部８は、上框８ａと，下框８ｂと、先端側框８ｃと、これらの間に配設された複数の縦格子部材８ｄ，８ｅとからなるもので、上下框８ａ，８ｂの夫々基端部に回転金具１１，１１が取り付けてあって、これら上下回転金具１１，１１が枢軸１２，１２を介して固定面格子部７の上下枠部９ａ，９ｂに枢着され、それによって可動面格子部８は、図２の実線で示す閉鎖位置から内開き式に概ね１８０度開放できるようになっている。
【００２２】
そして、この面格子４には、可動面格子部８を図２の実線で示すような閉鎖位置にロックするためのロック手段１３が設けられている。このロック手段１３は、周知構造のものでよいから、具体的に図示はしていないが、可動面格子部８の先端側框８ｃと、この先端側框８ｃに対応する固定面格子部７の枠部９ｃとの間に介装されるもので、室内側からロック及びロック解除操作が可能で、防虫網戸３及び引戸障子１，２が開放された状態でも面格子４の室外側からは操作ができないような構造のものであれば、どのような構造でもよい。
【００２３】
また、窓開口部Ｏの室内側周縁部には、上下横材１４ａ，１４ｂと左右縦材１４ｃ，１４ｃとからなる室内側化粧額縁１４が取り付けられている。
【００２４】
上記のような構成よりなる窓装置において、図２の実線図示のように引戸障子１，２が閉じられ且つ面格子４の可動面格子部８が閉鎖位置にロック手段１３によりロックされた状態で室内で火災等の緊急事態が発生した時には、ロック手段１３をロック解除操作し、面格子４の可動面格子部８を内側へ開くことによって、非常開口部６が開放されるから、前記クレセントを外して、引戸障子１，２を開放し、防虫網戸３を開ければ、室外へ容易に脱出することができる。
【００２５】
そして、この窓装置によれば、引戸障子１，２の室内側に面格子４を設けているので、前記ロック手段１３で可動面格子部８を閉鎖位置にロックしておけば、引戸障子１，２のクレセントを掛け忘れても、防犯上の安全性が確保される。
【００２６】
また引戸障子１，２の室内側に面格子４を設けていることから、例えば防虫網戸３の網材３ｂを張り替えたり、この網戸３を水洗いするような時には、防虫網戸３を上下の網戸用レール５3a，５3bから取り外して簡単に室外に取り出すことができる。
【００２７】
また、可動面格子部８を開放した時の非常開口部６の開口幅Ｗ6 が引戸障子１，２の横幅Ｗ0 と略同じであるため、引戸障子１，２のガラス１ｂ，２ｂを室内側から掃除する時には、上記のように非常開口部６を室内側へ開放すれば、引戸障子１，２を交互に移動させることによって、この非常開口部６から各引戸障子１，２のガラス１ｂ，２ｂの室内側面を簡単容易にして十分に掃除することができる。尚、引戸障子１，２の室外側面は、防虫網戸３を適宜に移動させることによって十分に掃除することができる。
【００２８】
窓装置の製作にあたっては、非常開口部６の開口幅Ｗ6 が引戸障子１，２の横幅Ｗ0 （例えば９１ｃｍ）と略同じとなるように面格子４の非常開口部６及び可動面格子部８の幅寸法を夫々例えば９４ｃｍ，９３ｃｍと一定化する、つまり規格化しておけば、面格子４の長さ（非常開口部６の幅方向に沿った長さ）及び高さは各種窓装置に応じて自由に設定でき（即ち、面格子４の長さは例えば１．８ｍ、２．７ｍなどに、またその高さも例えば１．２ｍ、１．６ｍなど自由に設定できる）、しかして種々の窓装置に設けられる面格子４を製作する場合に、少なくとも可動面格子部８については量産が可能となり、それによって製作コストの低廉化を図ることができる。
【００２９】
更に、この窓装置によれば、可動面格子部８が閉鎖状態から内開き式に概ね１８０度開放可能に構成されているから、可動面格子部８を長時間開放しておくような時に、開放した可動面格子部８を固定面格子部７の室内側面に添わせた状態にすることによって、可動面格子部８が場所をはらず、室内側で邪魔になることがない。
【００３０】
尚、この実施形態では、面格子４の可動面格子部８を内開き式に構成しているが、この可動面格子部８は、固定面格子部７に対して引き違い式になるように設けてもよい。
【００３１】
図４は本発明に係る他の窓装置を室内側から見た正面図、図５は同窓装置の横断平面図であり、図６は同窓装置の縦断側面図である。この窓装置は、固定面格子部７が、窓サッシ５と一体に形成された周枠部９と、非常開口部６を除いて周枠部９内に配設された複数の格子部材１０とからなることを特徴とするもので、他の構成については、図１〜図３に示す窓装置と同じあるため、異なる構成についてのみ以下に説明する。
【００３２】
この窓装置におて、面格子４の固定面格子部７は、窓開口部Ｏに取り付けられる窓サッシ５と一体に形成された周枠部９と、この周枠部９内に非常開口部６を除いて一定間隔おきに配設された複数の縦格子部材１０とから構成される。固定面格子部７の周枠部９は、窓サッシ５の上下枠部材５ａ，５ｂ及び左右枠部材５ｃ，５ｄと夫々一体に形成された、上下枠部９ａ，９ｂと左右枠部９ｃ，９ｄとからなるもので、各縦格子部材１０は上下枠部９ａ，９ｂ間に介装されている。この縦格子部材１０を上下枠部９ａ，９ｂ間に介装するには、図示は省略するが、例えば、上下各枠部９ａ，９ｂの上下各端面側から縦格子部材１０内に形成されたビスホールにビスをねじ込んで固定すればよい。
【００３３】
図４において、９ａｏ及び９ｂｏは、固定面格子部７の周枠部９の上下枠部材９ａ，９ｂの夫々一部を成すもので、これら上枠部材９ａの下部側及び下枠部材９ｂ上部側に夫々一体形成されたものである。この枠部分９ａｏ及び９ｂｏは、断面構造の図示は省略するが、図３の断面図に示す可動面格子部８の上框８ａ及び下框８ｂに対応するもので、この上下框８ａ，８ｂに対応する部分が固定面格子部７の上下枠部材９ａ，９ｂに夫々一体形成されたような断面構造である。
【００３４】
この窓装置では、固定面格子部７が、窓開口部Ｏに取り付けられる窓サッシ５と一体に形成された周枠部９と、非常開口部６を除いて周枠部９内に配設された複数の格子部材１０とからなるもので、窓サッシ５と一体化されているから、窓サッシ５と固定面格子部７の周枠部９とを同時に製作できると共に、窓サッシ５の周枠部９に縦格子部材１０を取り付けるだけで固定面格子部７を形成でき、従って窓装置の製作コスト及び施工コストを従来の窓装置に比べて格段に安くすることができる。
【００３５】
以上説明した実施形態では、面格子４の固定面格子部７及び可動面格子部８を夫々複数の縦格子部材によって形成したが、複数の横格子部材によってしてもよいし、また夫々複数の縦格子部材と横格子部材とによって形成してもよい。そしてまた、この面格子４は、複数の羽板からなる所謂ルーバーも含むものである。
【図面の簡単な説明】
【００３６】
【図１】(a) は本発明に係る窓装置を室内側から見た正面図、(b) は同窓装置を室外側から見た正面図である。
【図２】同窓装置の横断平面図である。
【図３】同窓装置の縦断側面図である。
【図４】本発明に係る他の窓装置を室内側から見た正面図である。
【図５】同窓装置の横断平面図である。
【図６】同窓装置の縦断側面図である。
【符号の説明】
【００３７】
Ｏ              建物の窓開口部
１，２          引戸障子
３              防虫網戸
４              面格子
６              非常開口部
７              固定面格子部
８              可動面格子部
９              固定面格子部の周枠部
１０            固定面格子部の格子部材
【図１】
2005188110.tif 000003
【図２】
2005188110.tif 000004
【図３】
2005188110.tif 000005
【図４】
2005188110.tif 000006
【図５】
2005188110.tif 000007
【図６】
2005188110.tif 000008